(57)【要約】【課題】本発明は、着脱によりバックカバーを損傷しない表示装置を提供することを目的とする。【解決手段】本発明に係る表示装置は、フロントカバーと、バックカバーと、フロントカバーとバックカバーとの間に設置され、画面を表示する表示パネルと、を備え、フロントカバーには、複数のリミットスロットが設けられており、バックカバーには、リミットスロットに対応して複数の位置決めピンが突設され、位置決めピンは、リミットスロットにそれぞれ係合され、これにより、バックカバーはフロントカバーに固定される。【選択図】図２
2016206629.tif 000002
【特許請求の範囲】
【請求項１】
フロントカバーと、
バックカバーと、
前記フロントカバーと前記バックカバーとの間に設置され、画面を表示する表示パネルと、
を備えてなる表示装置であって、
前記フロントカバーには、複数のリミットスロットが設けられ、前記バックカバーには、前記リミットスロットに対応して複数の位置決めピンが突設され、前記位置決めピンは、前記リミットスロットにそれぞれ係合され、これにより、前記バックカバーは、前記フロントカバーに固定されることを特徴とする表示装置。
【請求項２】
前記フロントカバーは、首尾連接する第一側部、第二側部、第三側部及び第四側部を備え、前記第一側部は、前記第三側部に対向し、前記第二側部は、前記第四側部に対向し、前記第一側部及び前記第三側部の長さは同じであり、前記第二側部及び前記第四側部の長さは同じであり、前記第一側部及び前記第三側部の長さは、前記第二側部及び前記第四側部の長さより長いことを特徴とする請求項１に記載の表示装置。
【請求項３】
前記第一側部及び前記第三側部には前記リミットスロットが設けられ、前記第一側部に設けられている前記リミットスロットが延伸する方向は、前記第三側部に設けられている前記リミットスロットが延伸する方向に反対であることを特徴とする請求項２に記載の表示装置。
【請求項４】
前記各リミットスロットは、ガイド孔及び前記ガイド孔に垂直し、且つ前記ガイド孔に連通しているリミット孔を備え、前記ガイド孔の延伸方向は、前記フロントカバーの長手方向に垂直し、前記リミット孔の延伸方向は、前記フロントカバーの長手方向と同じであり、前記位置決めピンは、前記リミット孔にそれぞれ係合されることを特徴とする請求項３に記載の表示装置。
【請求項５】
前記ガイド孔の幅は、前記リミット孔の幅より大きく、前記リミット孔の幅と前記位置決めピンの直径とは同じであり、前記リミット孔の対応する前記ガイド孔から離れる端は、弧形を呈することを特徴とする請求項４に記載の表示装置。
【請求項６】
前記第一側部及び前記第三側部は、それぞれ第一側壁、第二側壁及び第三側壁を備え、前記第一側壁は対応する前記第三側壁と対向し、前記各第二側壁は、対応する前記第一側壁と前記第三側壁との間に連接され、各側部の前記第一側壁、前記第二側壁及び前記第三側壁の間には、前記表示パネルのエッジ部を収容できる収容スロットが設けられており、前記各第三側壁には、前記リミットスロット及び第一ネジ穴が設けられていることを特徴とする請求項２から５の何れか一項に記載の表示装置。
【請求項７】
前記バックカバーには、前記第一ネジ穴に対応して、複数の第二ネジ穴が設けられており、複数のネジが前記第一ネジ穴を貫通して対応する前記第二ネジ穴に螺合して、前記フロントカバーを前記バックカバーに固定することを特徴とする請求項６に記載の表示装置。
【請求項８】
前記第二側部及び前記第四側部は、それぞれ第一側壁、第二側壁及び第三側壁を備え、前記第一側壁は、対応する前記第三側壁と対向し、前記各第二側壁は、対応する前記第一側壁と前記第三側壁との間に連接され、各側部の前記第一側壁、前記第二側壁及び前記第三側壁の間には、前記表示パネルのエッジ部を収容できる前記収容スロットが設けられており、前記各第三側壁には、複数の開口及び複数の貫通孔が設けられていることを特徴とする請求項２から７の何れか一項に記載の表示装置。
【請求項９】
フロントカバーと、
バックカバーと、
前記フロントカバーと前記バックカバーとの間に設置され、画面を表示する表示パネルと、
を備えてなる表示装置であって、
前記フロントカバーの対向する２つの側部には、複数のリミットスロットがそれぞれ設けられ、前記バックカバーには、前記リミットスロットに対応して複数の位置決めピンが突設され、前記位置決めピンは、前記リミットスロットにそれぞれ係合され、ネジを介して、前記バックカバーは、前記フロントカバーにロックされることを特徴とする表示装置。
【発明の詳細な説明】
【技術分野】
【０００１】
本発明は、表示装置に関するものである。
【背景技術】
【０００２】
現在、表示装置は、テレビ、パソコンのディスプレイ等に幅広く使用されている。表示装置は、通常、フロントカバーと、バックカバーと、フロントカバーとバックカバーとの間に設置されている表示パネルと、を備えている。フロントカバーは、通常フックと係合スロットとの結合によりバックカバーに固定されるが、着脱する時、バックカバーを損傷し易い。
【発明の概要】
【発明が解決しようとする課題】
【０００３】
本発明の目的は、前記問題を解決し、着脱の際にバックカバーを損傷しない表示装置を提供することである。
【課題を解決するための手段】
【０００４】
上記目的を達成するために、本発明に係る表示装置は、フロントカバーと、バックカバーと、フロントカバーとバックカバーとの間に設置され、画面を表示する表示パネルと、を備え、フロントカバーには、複数のリミットスロットが設けられ、バックカバーには、リミットスロットに対応して複数の位置決めピンが突設され、位置決めピンは、リミットスロットにそれぞれ係合され、これにより、バックカバーはフロントカバーに固定される。
【発明の効果】
【０００５】
本発明に係る表示装置は、フロントカバーにリミットスロットが設けられており、バックカバーには、リミットスロットに係合可能な位置決めピンが突設されている。位置決めピンをリミットスロットにそれぞれ係合した後、ネジを介してフロントカバーをバックカバーに固定する。これにより、従来のフックと係合孔との結合方式に比べて、着脱時に表示装置の外観を損傷しない。
【図面の簡単な説明】
【０００６】
【図１】図１は本発明表示装置の実施形態に係る表示装置の組立斜視図である。
【図２】図２は図１に示す表示装置の分解斜視図である。
【図３】図３は図２に示す表示装置のＩＩＩ部分の拡大図である。
【図４】図４は図２に示す表示装置の第一側部の拡大図である。
【図５】図５は図２に示す表示装置の第三側部の拡大図である。
【図６】図６は図２に示す表示装置の第二側部の拡大図である。
【図７】図７は図１に示す表示装置のＶＩＩ部分の拡大図である。
【図８】図８は図２に示す表示装置のＶＩＩＩ部分の拡大図であって、第一側部と第二側部との結合部分を示す図である。
【発明を実施するための形態】
【０００７】
図１〜図３に示したように、本発明の実施形態に係る表示装置１０は、フロントカバー１１と、バックカバー１２と、フロントカバー１１とバックカバー１２との間に設置される表示パネル１３と、を備える。表示パネル１３は、フロントカバー１１及びバックカバー１２により固定される。表示パネル１３は、画面を表示する際に使用される。表示装置１０は、テレビ、パソコンディスプレイ又はデジタルアルバムなどであってもよいが、これらに限定されない。
【０００８】
フロントカバー１１には、複数のリミットスロット１１１が設けられており、バックカバー１２には、複数の位置決めピン１２１が突設されている。位置決めピン１２１をリミットスロット１１１に係合することにより、バックカバー１２をフロントカバー１１に固定することができる。位置決めピン１２１は、中空の円柱体であって、バックカバー１２と一体形成されている。フロントカバー１１には、複数の第一ネジ穴１１２が設けられている。フロントカバー１１がバックカバー１２に固定される時、２つの隣接する位置決めピン１２１の間には、２つの第一ネジ穴１１２が位置する。また、バックカバー１２には、第一ネジ穴１１２に対応して複数の第二ネジ穴１２２が設けられている（図７を参照）。複数のネジを第一ネジ穴１１２に貫通させて対応する第二ネジ穴１２２に螺合することにより、フロントカバー１１をバックカバー１２にロックする。
【０００９】
本実施形態において、フロントカバー１１及びバックカバー１２は、金属製又はプラスチック製であってもよい。
【００１０】
フロントカバー１１は、首尾連接された第一側部１１３と、第二側部１１４と、第三側部１１５と、第四側部１１６と、を備える。第一側部１１３は、第三側部１１５に平行し、第二側部１１４は、第四側部１１６に平行する。第一側部１１３の長さは、第三側部１１５の長さと同じである。第二側部１１４の長さは、第四側部１１６の長さと同じである。第一側部１１３及び第三側部１１５の長さは、第二側部１１４及び第四側部１１６の長さより長い。第一側部１１３、第二側部１１４、第三側部１１５及び第四側部１１６は、着脱可能である。
【００１１】
図４に示したように、第一側部１１３は、第一側壁１１１０と、第二側壁１１１１と、第三側壁１１１２と、を備える。第一側壁１１１０は、第三側壁１１１２と対向し、第二側壁１１１１を介して第三側壁１１１２に連接されている。第一側壁１１１０は、第三側壁１１１２に平行し、第二側壁１１１１は、第一側壁１１１０の側辺及び第三側壁１１１２の側辺にそれぞれ垂直するように連接するのが望ましい。表示装置１０を使用する時、第一側壁１１１０は、ユーザに面し、第三側壁１１１２はユーザに面していない。第一側壁１１１０と、第二側壁１１１１と、第三側壁１１１２との間には、表示パネル１３のエッジ部を収容できる収容スロット１１１３が設けられている。
【００１２】
第一側壁１１１０には、リミットスロット１１１及び第一ネジ穴１１２が設けられている。隣接する２つのリミットスロット１１１の間には、２つの第一ネジ穴１１２が設けられている。各リミットスロット１１１は、Ｌ字状を呈し、ガイド孔１１１４及びガイド孔１１１４に垂直し、且つ連通しているリミット孔１１１５を備える。リミット孔１１１５の延伸方向は、フロントカバー１１の長手方向と同じである。位置決めピン１２１は、リミット孔１１１５に係合される。本実施形態において、ガイド孔１１１４の幅は、リミット孔１１１５の短手方向に沿う幅より大きく、リミット孔１１１５の短手方向に沿う幅は位置決めピン１２１の直径と同じである。リミット孔１１１５の末端（ガイド孔１１１４から離れる端）は、弧形を呈する。
【００１３】
図５に示したように、第三側部１１５は、第一側壁１１５０と、第二側壁１１５１と、第三側壁１１５２と、を備える。第一側壁１１５０は、第三側壁１１５２と対向し、第二側壁１１５１を介して第三側壁１１５２に連接される。第一側壁１１５０は、第三側壁１１５２に平行し、第二側壁１１５１は、第一側壁１１５０の側辺及び第三側壁１１５２の側辺にそれぞれ垂直するように連接されるのが望ましい。表示装置１０を使用する時、第一側壁１１５０は、ユーザに面し、第三側壁１１５２はユーザに面していない。第一側壁１１５０と、第二側壁１１５１と、第三側壁１１５２との間には、表示パネル１３のエッジ部を収容できる収容スロットが設けられている。
【００１４】
第一側壁１１５０には、リミットスロット１１１及び第一ネジ穴１１２が設けられている。隣接する２つのリミットスロット１１１の間には、２つの第一ネジ穴１１２が設けられている。各リミットスロット１１１は、Ｌ字を呈し、ガイド孔１１１４及びガイド孔１１１４に垂直し、且つ連通しているリミット孔１１１５を備える。リミット孔１１１５の延伸方向は、フロントカバー１１の長手方向と同じである。ガイド孔１１１４の延伸方向は、フロントカバー１１の長手方向に垂直する。位置決めピン１２１は、リミット孔１１１５に係合される。本実施形態において、ガイド孔１１１４の幅は、リミット孔１１１５の短手方向に沿う幅より大きく、リミット孔１１１５の短手方向に沿う幅は位置決めピン１２１の直径と同じである。リミット孔１１１５の末端（ガイド孔１１１４から離れる端）は、弧形を呈する。第一側部１１３のリミット孔１１１５が対応するガイド孔１１１４から延伸する方向は、第三側部１１５のリミット孔１１１５が対応するガイド孔１１１４から延伸する方向に反対である。
【００１５】
図６に示したように、第二側部１１４は、第一側壁１１４０と、第二側壁１１４１と、第三側壁１１４２と、を備える。第一側壁１１４０は、第三側壁１１４２に平行する。第二側壁１１４１は、第一側壁１１４０の側辺及び第三側壁１１４２の側辺にそれぞれ垂直して連接されている。表示装置１０を使用する時、第一側壁１１４０は、ユーザに面し、第三側壁１１４２は、ユーザに面していない。第一側壁１１４０には、複数の開口１１７が設けられており、第二側壁１１４１には、複数の貫通孔１１８が設けられている。第四側部１１６は、第二側部１１４と同じ構造を有する。
【００１６】
図７に示したように、バックカバー１２のエッジ部には、リミットスロット１１１に対応して、複数の位置決めピン１２１が突設されている。位置決めピン１２１は、リミット孔１１１５に係合される。また、バックカバー１２のエッジ部には、第一ネジ穴１１２に対応して、複数の第二ネジ穴１２２も設けられている。複数のネジを、第一ネジ穴１１２及び対応する第二ネジ穴１２２にそれぞれ螺合し、フロントカバー１１をバックカバー１２にロックする。第二側部１１４及び第四側部１１６は、ネジを貫通孔１１８に螺合することによって、バックカバー１２に固定される。
【００１７】
図８に示したのは、第一側部１１３及び第二側部１１４の結合箇所を示す図であって、第一側部１１３と第二側部１１４との結合箇所の表示パネル１３から離れる側には、ダイヤカット加工により、傾斜するガイド面が形成されている。本実施形態において、第二側部１１４と第三側部１１５との結合箇所、第三側部１１５と第四側部１１６との結合箇所、第四側部１１６と第一側部１１３との結合箇所の、それぞれの表示パネル１３から離れる側には、傾斜するガイド面が形成されている。
【００１８】
表示装置１０を組み立てる際、先ず、バックカバー１２上の位置決めピン１２１を第一側部１１３のリミットスロット１１１のガイド孔１１１４内にそれぞれ挿入する。次に、バックカバー１２をフロントカバー１１の短手方向に沿って移動させた後、バックカバー１２をフロントカバー１１の長手方向に沿って移動させて、位置決めピン１２１をリミット孔１１１５内にそれぞれ係合させる。最後に、ネジを使用して、第一側部１１３をバックカバー１２にロックする。
【００１９】
次いで、バックカバー１２上の位置決めピン１２１を第三側部１１５のリミットスロット１１１のガイド孔１１１４内にそれぞれ挿入する。次に、バックカバー１２を第三側部１１５の短手方向に沿って移動させた後、バックカバー１２をフロントカバー１１の長手方向に沿って移動させて、位置決めピン１２１をリミット孔１１１５内にそれぞれ係合させる。最後に、ネジを使用して、第三側部１１５をバックカバー１２にロックする。
【００２０】
最後に、ネジが貫通孔１１８を貫通してバックカバー１２に螺合し、第二側部１１４及び第四側部１１６をバックカバー１２に固定する。他の実施形態において、第三側部１１５を固定した後、第一側部１１３を固定してもよい。また、他の実施形態において、ネジを開口１１７に貫通させて、バックカバー１２に螺合し、第二側部１１４及び第四側部１１６をバックカバー１２に固定することもできる。
【００２１】
本発明に係る表示装置１０は、フロントカバー１１にＬ字状を呈するリミットスロット１１１が設けられており、バックカバー１２には、リミットスロット１１１に係合可能な位置決めピン１２１が突設されている。位置決めピン１２１をリミットスロット１１１にそれぞれ係合した後、ネジを介してフロントカバー１１をバックカバー１２に固定する。これにより、従来のフックと係合孔との結合方式に比べて、着脱時に表示装置１０の外観を損傷しない。
【符号の説明】
【００２２】
１０  表示装置
１１  フロントカバー
１２  バックカバー
１３  表示パネル
１１１  リミットスロット
１１１０、１１４０、１１５０  第一側壁
１１１１、１１４１、１１５１  第二側壁
１１１２、１１４２、１１５２  第三側壁
１１１３  収容スロット
１１１４  ガイド孔
１１１５  リミット孔
１２１  位置決めピン
１１２  第一ネジ穴
１２２  第二ネジ穴
１１３  第一側部
１１４  第二側部
１１５  第三側部
１１６  第四側部
１１７  開口
１１８  貫通孔
【図１】
2016206629.tif 000003
【図２】
2016206629.tif 000004
【図３】
2016206629.tif 000005
【図４】
2016206629.tif 000006
【図５】
2016206629.tif 000007
【図６】
2016206629.tif 000008
【図７】
2016206629.tif 000009
【図８】
2016206629.tif 000010